(57)【特許請求の範囲】
【請求項１】
上面及び下面を含む第１基板と、
上面及び下面を含み、前記第１基板と向かい合う第２基板と、
前記第１基板の前記上面及び前記第２基板の前記下面の間に形成され、複数個のセルギャップを有するセルと、
前記セル内に配置され、反射領域の第１セルギャップが１．８μｍ乃至２．２μｍで、透過領域の第２セルギャップが３．６μｍ乃至４．０μｍである垂直配向液晶層と、
前記第１基板の前記下面上に配置され、第１偏光板、前記第１基板の前記下面上に配置される第１（λ／４）位相差フィルム、及び前記第１（λ／４）位相差フィルム上に配置される第１（λ／２）位相差フィルムを含む第１光学フィルムアセンブリと、
前記第２基板の前記上面上に配置され、第２偏光板、前記第２基板の前記上面上に配置される第２（λ／４）位相差フィルム、及び前記第２（λ／４）位相差フィルム上に配置される第２（λ／２）位相差フィルムを含む第２光学フィルムアセンブリと、を含むが、
前記第２（λ／４）及び第２（λ／２）位相差フィルムのスロー軸は前記第２偏光板の吸収軸から反時計方向に１５°及び７５°のうちいずれの一つの角度を有し、前記第１（λ／２）位相差フィルムのスロー軸は前記第２（λ／２）位相差フィルムの前記スロー軸と８０°乃至１００°の角度をなし、しきい電圧は２．０Ｖ以下で、飽和電圧は４．４Ｖ以下である液晶表示装置。
【請求項２】
前記第１セルギャップは２．０μｍであることを特徴とする請求項１記載の液晶表示装置。
【請求項３】
前記第２セルギャップは３．８μｍであることを特徴とする請求項１記載の液晶表示装置。
【請求項４】
前記しきい電圧は１．７Ｖであることを特徴とする請求項１記載の液晶表示装置。
【請求項５】
前記飽和電圧は４．０Ｖであることを特徴とする請求項１記載の液晶表示装置。
【請求項６】
前記第１偏光板の吸収軸は前記第２偏光板の吸収軸と垂直であることを特徴とする請求項１記載の液晶表示装置。
【請求項７】
前記第１光学フィルムアセンブリは、前記第１（λ／２）位相差フィルム上に配置される第１偏光板を更に含むことを特徴とする請求項１記載の液晶表示装置。
【請求項８】
前記第２光学フィルムアセンブリは前記第２（λ／２）位相差フィルム上に配置される第２偏光板を更に含むことを特徴とする請求項１記載の液晶表示装置。
【請求項９】
前記第２（λ／４）位相差フィルムのスロー軸は前記第２偏光板の前記吸収軸を基準として反時計方向に１５°傾斜することを特徴とする請求項１記載の液晶表示装置。
【請求項１０】
前記第２（λ／２）位相差フィルムのスロー軸は前記第２偏光板の前記吸収軸を基準として反時計方向に７５°傾斜することを特徴とする請求項１記載の液晶表示装置。
【請求項１１】
前記第１（λ／４）位相差フィルムのスロー軸は前記第２（λ／４）位相差フィルムの前記スロー軸と８０°乃至１００°の範囲を有することを特徴とする請求項１記載の液晶表示装置。
【請求項１２】
前記第１（λ／４）位相差フィルムのスロー軸は前記第２（λ／４）位相差フィルムの前記スロー軸と垂直であることを特徴とする請求項１１記載の液晶表示装置。
【請求項１３】
前記第１（λ／２）位相差フィルムのスロー軸は前記第２（λ／２）位相差フィルムの前記スロー軸と８０°乃至１００°の範囲を有することを特徴とする請求項１記載の液晶表示装置。
【請求項１４】
前記第１（λ／２）位相差フィルムのスロー軸は前記第２（λ／２）位相差フィルムの前記スロー軸と垂直であることを特徴とする請求項１３記載の液晶表示装置。
【請求項１５】
前記第２光学フィルムアセンブリは、前記第２基板と前記第２（λ／４）位相差フィルムとの間に配置される補償フィルムを更に含むことを特徴とする請求項１記載の液晶表示装置。
【請求項１６】
前記補償フィルムはＡ−プレート又はＣ−プレートを含むことを特徴とする請求項１５記載の液晶表示装置。
【請求項１７】
前記垂直配向液晶層のプリチルト角は４５°以上であることを 特徴とする請求項１記載の液晶表示装置。
【請求項１８】
前記第１基板の前記下面上に配置されたバックライトアセンブリを更に含むことを特徴とする請求項１記載の液晶表示装置。
【発明の詳細な説明】
【技術分野】
【０００１】
本発明は液晶表示パネル及びこれを有する液晶表示装置に関し、より詳細には垂直配向された液晶に対してセルギャップを最適化して透過率、コントラスト比及び数率が増加され設計が容易である液晶表示パネル及びこれを有して光学条件が最適化された液晶表示装置に関する。
【背景技術】
【０００２】
液晶表示装置は薄膜トランジスタが形成されたアレイ基板とカラーフィルター基板との間に注入されている異方性誘電率を有する液晶物質に電界を印加し、この電界の強度を調節して基板に透過される光の量を調節することで所望する映像信号を得る表示装置である。
【０００３】
一般に、液晶は直接光を発生しないので、内部光源または外部から提供された光を用いて映像を表示する。内部光源のみを用いて映像を表示する場合、光を発生させるためのバッテリーの大きさが増加して液晶表示装置の大きさが増加するという短所がある。また、外部光のみを用いて映像を表示する場合、暗い環境では映像の輝度が減少される短所がある。しかし、外部光を反射する反射領域及び光源から発生された光が透過する透過領域を含む反射−透過型液晶表示装置を用いる場合、液晶表示装置の大きさが減少され暗い環境でも映像の輝度を保持することができる。
【０００４】
一般的に反射−透過型液晶表示装置は、液晶表示パネル及び光学フィルムを含む。前記液晶表示パネルは、第１基板、第２基板及び液晶層を含む。前記第１基板はカラーフィルター及び共通電極を含み、前記第２基板は薄膜トランジスタ、反射電極及び透明電極を含む。前記液晶層は前記第１基板と前記第２基板との間に介在される。前記光学フィルムは偏光板を含む。
【０００５】
一般の反射−反射透過型液晶表示装置は、ＭＴＮモードの液晶を採用する。前記ＭＴＮモードの液晶は９０°以下の角度を有するツイスト構造に配向されている。
【発明の開示】
【発明が解決しようとする課題】
【０００６】
しかし、液晶がツイスト構造に配向された場合、光の偏光特性によって光の損失が発生されて透過率が低下される。前記ＭＴＮモードの液晶を採用する液晶表示装置は光学条件が反射モードを中心にして設計されるので、透過モードに対してブラックを基本とする。前記透過モードに対してブラックを基本とする場合、光の偏光によりホワイト状態で一部の光のみが利用される、理論的に透過率が既存の透過型液晶表示装置に比べて５０％程度に落ちる。従って、液晶表示装置の輝度及びコントラスト比が減少されるという問題点が発生する。
【０００７】
前記のような問題点を解決するための本発明の第１目的は、垂直配向された液晶に対してセルギャップを最適化して、コントラスト比及び数率が増加され設計が容易である液晶表示パネルを提供することにある。
【０００８】
本発明の第２目的は、前記液晶表示パネルを有し光学条件が最適化された液晶表示装置を提供することにある。
【課題を解決するための手段】
【０００９】
上記課題を解決するために、発明１は、上面及び下面を含む第１基板と、上面及び下面を含み、前記第１基板と向かい合う第２基板と、前記第１基板の前記上面及び前記第２基板の前記下面の間に形成され、複数個のセルギャップを有するセルと、前記セル内に配置され、反射領域の第１セルギャップが１．８μｍ乃至２．２μｍで、透過領域の第２セルギャップが３．６μｍ乃至４．０μｍである垂直配向液晶層と、前記第１基板の前記下面上に配置され、第１偏光板、前記第１基板の前記下面上に配置される第１（λ／４）位相差フィルム、及び前記第１（λ／４）位相差フィルム上に配置される第１（λ／２）位相差フィルムを含む第１光学フィルムアセンブリと、前記第２基板の前記上面上に配置され、第２偏光板、前記第２基板の前記上面上に配置される第２（λ／４）位相差フィルム、及び前記第２（λ／４）位相差フィルム上に配置される（λ／２）位相差フィルムを含む第２光学フィルムアセンブリと、を含むが、前記第２（λ／４）及び（λ／２）位相差フィルムのスロー軸は前記第２偏光板の吸収軸を基準として同じ四分面内に配置され、前記第１（λ／２）位相差フィルムのスロー軸は前記第２（λ／２）位相差フィルムの前記スロー軸と８０°乃至１００°の角度をなし、しきい電圧は２．０Ｖ以下で、飽和電圧は４．４Ｖ以下である液晶表示装置を提供する。垂直配向された液晶に対してセルギャップを最適化することで、コントラスト比及び数率が増加され設計が容易である液晶表示パネルを得ることができる。
【００１０】
発明２は、発明１において、前記第１セルギャップは２．０μｍであることを特徴とする。
発明３は、発明１において、前記第２セルギャップは３．８μｍであることを特徴とする。
発明４は、発明１において、前記しきい電圧は１．７Ｖであることを特徴とする。
【００１１】
発明５は、発明１において、前記飽和電圧は４．０Ｖであることを特徴とする。
発明６は、発明１において、前記第１偏光板の吸収軸は前記第２偏光板の吸収軸と垂直であることを特徴とする。
発明７は、発明１において、前記第１光学フィルムアセンブリは、前記第１（λ／２）位相差フィルム上に配置される第１偏光板を更に含むことを特徴とする。
【００１２】
発明８は、発明１において、前記第２光学フィルムアセンブリは前記第２（λ／２）位相差フィルム上に配置される第２偏光板を更に含むことを特徴とする。
発明９は、発明１において、前記（λ／４）位相差フィルムのスロー軸は前記第２偏光板の前記吸収軸を基準として反時計方向に１５°傾斜することを特徴とする。
発明１０は、発明１において、前記第２（λ／２）位相差フィルムのスロー軸は前記第２偏光板の前記吸収軸を基準として反時計方向に７５°傾斜することを特徴とする。
【００１３】
発明１１は、発明１において、前記第１（λ／４）位相差フィルムのスロー軸は前記第２（λ／４）位相差フィルムの前記スロー軸と８０°乃至１００°の範囲を有することを特徴とする。
発明１２は、発明１３において、前記第１（λ／４）位相差フィルムのスロー軸は前記第２（λ／４）位相差フィルムの前記スロー軸と垂直であることを特徴とする。
【００１４】
発明１３は、発明１において、前記第１（λ／２）位相差フィルムのスロー軸は前記第２（λ／２）位相差フィルムの前記スロー軸と８０°乃至１００°の範囲を有することを特徴とする。
【００１５】
発明１４は、発明１３において、前記第１（λ／２）位相差フィルムのスロー軸は前記第２（λ／２）位相差フィルムの前記スロー軸と垂直であることを特徴とする。
【００１６】
発明１５は、発明１において、前記第２光学フィルムアセンブリは、前記第２基板と前記第２（λ／４）位相差フィルムとの間に配置される補償フィルムを更に含むことを特徴とする。
【００１７】
発明１６は、発明１５において、前記補償フィルムはＡ−プレート又はＣ−プレートを含むことを特徴とする。
【００１８】
発明１７は、発明１において、前記垂直配向液晶層のプリチルト角は４５°以上であることを特徴とする。
【００１９】
発明１８は、発明１において、前記第１基板の前記下面上に配置されたバックライトアセンブリを更に含むことを特徴とする。
【００２０】
発明１９は、上面及び下面を含む第１基板と、上面及び下面を含み、前記第１基板と向かい合う第２基板と、前記第１基板の前記上面及び前記第２基板の前記下面間に形成され、複数個のセルギャップを有するセルと、前記セル内に配置され、反射領域の第１セルギャップが１．８μｍ乃至２．２μｍで、透過領域の第２セルギャップが３．６μｍ乃至４．０μｍである垂直配向液晶層と、前記第２基板の前記上面上に配置され、偏光反、前記第２基板の前記上面上に配置される（λ／４）位相差フィルム、及び前記第２基板と前記（λ／４）位相差フィルムとの間に配置される補償フィルムを含む光学フィルムアセンブリと、を含むが、しきい電圧は２．０Ｖ以下で、飽和電圧は４．４Ｖ以下である液晶表示装置を提供する。
【００２１】
発明２０は、上面及び下面を含む第１基板と、上面及び下面を含み、前記第１基板と向かい合う第２基板と、前記第１基板の前記上面及び前記第２基板の前記下面間に形成され、複数個のセルギャップを有するセルと、前記セル内に配置され、反射領域の第１セルギャップが１．８μｍ乃至２．２μｍで、透過領域の第２セルギャップが３．６μｍ乃至４．０μｍである垂直配向液晶層と、前記第１基板の前記下面上に配置され、第１偏光反、前記第１基板の前記下面上に配置される第１（λ／４）位相差フィルム、及び前記第１（λ／４）位相差フィルム上に配置される第１（λ／２）位相差フィルムを含む第１光学フィルムアセンブリと、記第２基板の前記上面上に配置され、第２偏光反、前記第２基板の前記上面上に配置される第２（λ／４）位相差フィルム、及び前記第２（λ／４）位相差フィルム上に配置される（λ／２）位相差フィルムを含む第２光学フィルムアセンブリと、を含むが、前記第１（λ／４）位相差フィルムのスロー軸は前記第２（λ／４）位相差フィルムのスロー軸と８０°乃至１００°の角度をなし、しきい電圧は２．０Ｖ以下で、飽和電圧は４．４Ｖ以下である液晶表示装置を提供する。
【００２２】
前記位相差フィルムはファスト軸（Ｆａｓｔ  Ａｘｉｓ）及びスロー軸を含む。前記ファスト軸は前記位相差フィルムを進行する光の速度が速くなる方向であり、前記スロー軸は前記ファスト軸と９０°の角度を有して進行する光の速度が遅くなる方向である。前記偏光板は前記吸収軸と同一の方向に振動する光を遮断する。
【００２３】
望ましくは、前記光学フィルムアセンブリはλ／４位相差フィルム、λ／２位相差フィルム及び偏光板を含む。
【００２４】
偏光成分を有する光の速度が前記２つの方向で差異が発生すると、一つの偏光成分の位相が他の一つの偏光成分の位相より遅延されて前記光の偏光状態が変化される。
【００２５】
望ましくは、前記液晶表示装置は前記光学フィルムアセンブリと互いに向き合う追加的光学フィルムアセンブリを含む。前記追加的光学フィルムアセンブリは追加的λ／４位相差フィルム、追加的λ／２位相差フィルム及び追加的偏光板を含む。より、望ましくは、前記追加的λ／４位相差フィルムのスロー軸は前記λ／４位相差フィルムと９０°の角度を有し、前記追加的λ／２位相差フィルムのスロー軸は前記λ／２位相差フィルムと９０°の角度を有する。また、前記追加的偏光板の吸収軸は前記偏光板と９０°の角度を有する。
【００２６】
前記λ／４位相差フィルムは上部λ／４位相差フィルムを含み、前記λ／２位相差フィルムは上部λ／２位相差フィルムを含む。前記偏光板は上部偏光板を含む。前記追加的λ／４位相差フィルムは下部λ／４位相差フィルムを含み、前記追加的λ／２位相差フィルムは下部λ／２位相差フィルムを含む。前記追加的偏光板は下部偏光板を含む。前記λは前記位相差フィルムにより位相差が発生する光の波長を示す。
【００２７】
従って、前記垂直配向された液晶層を含む液晶表示装置の光学フィルムの条件、前記反射領域に対応するセルギャップ及び前記透過領域に対応するセルギャップを最適化して透過率及びコントラスト比が向上される。
【００２８】
また、前記λ／４位相差フィルムのスロー軸、前記λ／２位相差フィルムのスロー軸及び前記偏光板の吸収軸がそれぞれ前記追加的λ／４位相差フィルムのスロー軸、前記追加的λ／２位相差フィルムのスロー軸及び前記追加的偏光板の吸収軸と９０°の角度を有して光学フィルムアセンブリの設計が容易である。
【００２９】
また、ホモジニアス配向された液晶を含む液晶表示装置の場合、反射領域のセルギャップが１．６μｍ程度に非常に小さい値であるのでパーティクルによる短絡が発生することができて数率が減少されたが、前記本発明の液晶表示装置は反射領域のセルギャップを増加させてパーティクルによる短絡が減少する。
【発明の効果】
【００３０】
前記のような本発明によると、垂直配向された液晶層を含む液晶表示装置の光学フィルム条件、反射領域に対応するセルギャップ及び透過領域に対応するセルギャップを最適化して透過率及びコントラスト比が向上される。
【００３１】
また、上部λ／4位相差フィルムのスロー軸、上部λ／2位相差フィルムのスロー軸及び上部偏光板の吸収軸がそれぞれ下部λ／4位相差フィルムのスロー軸、下部λ／4位相差フィルムのスロー軸及び下部偏光板の吸収軸と９０°の角度を有して光学フィルムアセンブリの設計が容易である。
【００３２】
また、ホモジニアス配向された液晶を含む液晶表示装置の場合反射領域のセルギャップが１．６μｍ程度に非常に小さい値なのでパーティクルによる短絡が発生することができ数率が減少されるが、前記本発明の液晶表示装置は反射領域のセルギャップが１．８μｍ乃至２．２μｍに増加されてパーティクルによる短絡が減少する。
【発明を実施するための最良の形態】
【００３３】
以下、図面を参照して本発明の望ましい一実施例をより詳細に説明する。
【実施例１】
【００３４】
図１は本発明の第１実施例による液晶表示装置を示す分解斜視図であり、図２は本発明の第１実施例による液晶表示装置を示す断面図である。
【００３５】
前記液晶表示装置は液晶表示パネル２００、上部光学フィルムアセンブリ２３０及び下部光学フィルムアセンブリ２４０を含む。
【００３６】
前記液晶表示パネル２００は上部基板１７０、下部基板１８０及び液晶層１０８を含む。前記第１基板１７０は上部基板１００、ブラックマトリックス１０２、カラーフィルター１０４、共通電極１０６及びスペーサ１１０を含む。前記第２基板１８０は下部基板１２０、薄膜トランジスタ１１９、ゲート絶縁膜１２６、パッシベーション膜１１６、有機膜１１４、透明電極１１２及び反射電極１１３を含む。前記第２基板１８０は透過領域１５０及び反射領域１６０を含む。
【００３７】
前記透過領域１５０は下部のバックライト（図示せず）から発生された光が透過される領域であり、前記反射領域１６０は外部で前記液晶表示パネル２００に入射される光が反射される領域である。前記透明電極１１２の一部は前記透過領域１５０内に配置され、前記薄膜トランジスタ１１９及び前記反射電極１１３は前記反射領域１６０内に配置される。
【００３８】
前記上部基板１００及び前記下部基板１２０は光を通過させることができる透明な材質のガラスを使用する。前記ガラスは無アルカリ特性である。前記ガラスがアルカリ特性である場合、前記ガラスでアルカリイオンが液晶セル中に溶出されると液晶比抵抗が低下され表示特性が変化され、前記シールとガラスとの付着力を低下させ、スイッチング素子の動作に悪影響を与える。
【００３９】
前記ブラックマトリックス１０２は前記反射領域１６０に対応する前記上部基板１００の一部に形成されて光を遮断する。前記ブラックマトリックス１０２は液晶を制御することができない領域を通過する光を遮断して画質を向上させる。前記ブラックマトリックス１０２は不透明の物質を蒸着しエッチングして形成される。
【００４０】
前記カラーフィルター１０４は前記ブラックマトリックス１０２が形成された前記上部基板上に形成され所定の波長分だけ光のみを選択的に透過させる。このとき、前記カラーフィルター１０４が前記上部基板１２０上に配置されることができる。
【００４１】
前記共通電極１０６は前記ブラックマトリックス１０２及び前記カラーフィルター１０４が形成された前記上部基板１００の全面に形成される。前記共通電極１０６はＩＴＯ、ＩＺＯまたはＺＯのような透明で導電性を有する物質を含む。このとき、前記共通電極１０６が前記下部基板１２０上に前記透明電極１１２及び前記反射電極１１３と並んで配置されることができる。
【００４２】
前記スペーサ１１０は前記ブラックマトリックス１０２、前記カラーフィルター１０４及び前記共通電極１０６が形成された前記上部基板１００上に形成される。前記スペーサ１１０によって前記第１基板１７０と第２基板１８０との間の間隔が一定に保持される。望ましくは、前記スペーサ１１０は前記ブラックマトリックス１０２に対応して配置される。前記スペーサ１１０はカラムスペーサ（Ｃｏｌｕｍｎ  Ｓｐａｃｅｒ）、ボールスペーサ（Ｂａｌｌ  Ｓｐａｃｅｒ）または前記カラムスペーサと前記ボールスペーサとが混合されたスペーサを含む。このとき、前記スペーサ１１０は前記薄膜トランジスタ１１９に対応して配置されることもできる。
【００４３】
前記薄膜トランジスタ１１９は前記下部基板１２０の前記反射領域１６０内に形成され、ソース電極１１８ａ、ゲート電極１１８ｂ、ドレイン電極１１８ｃ及び半導体層パターンを含む。駆動回路（図示せず）はデータ電圧を出力してソースライン１１８ａ’を通じて前記ソース電極１１８ａに伝達し、選択信号を出力してゲートランプ１１８ｂ’を通じて前記ゲート電極１１８ｂに伝達する。
【００４４】
前記ストレージキャパシタ（図示せず）は前記下部基板１２０上に形成されて前記共通電極１０６と前記反射電極１１３との間または前記共通電極１０６と前記透過電極１１２との間に電位差を保持する。前記ストレージキャパシタ（図示せず）はアンドゲート方式または独立配線方式である。
【００４５】
前記ゲート絶縁膜１２６は前記ゲート電極１１８ｂが形成された前記下部基板１２０の全面に配置されて前記ゲート電極１１８ｂを前記ソース電極１１８ａ及び前記ドレイン電極１１８ｃと電気的に絶縁する。このとき、前記光の透過率を高めるために前記透過領域１５０内に配置された前記ゲート絶縁膜１２６を除去することができる。前記ゲート絶縁膜１２６はシリコン窒化物ＳｉＮｘを含む。
【００４６】
前記パッシベーション膜１１６は前記薄膜トランジスタ１１９が形成された前記下部基板１２０上の全面に配置され、前記ドレイン電極１１８ｃの一部を露出する開口部を含む。このとき、前記光の透過率を高めるために前記透過領域１５０内に配置された前記パッシベーション膜１１６を取り除くことができる。前記パッシベーション膜１２６はシリコン窒化物を含む。
【００４７】
前記有機膜１１４は前記薄膜トランジスタ１１９及び前記パッシベーション膜１２６が形成された前記下部基板１２０上に配置されて前記薄膜トランジスタ１１９を前記透明電極１１２または前記反射電極１１３と絶縁する。
【００４８】
前記有機膜１１４により前記液晶層１０８の厚さが調節されて前記反射領域１６０及び前記透過領域１５０で互いに異なるセルギャップを有する液晶層１０８が形成される。前記透過領域１５０のセルギャップＧ２は３．６μｍ乃至４μｍであり、前記反射領域１６０のセルギャップＧ１は１．８μｍ乃至２．２μｍである。望ましくは、前記透過領域１５０のセルギャップＧ２は３．８μｍであり、前記反射領域１６０のセルギャップＧ１は２．０μｍである。また、前記透過領域１５０のセルギャップと前記反射領域１６０のセルギャップとの比は１．９：１であることが望ましい。
【００４９】
前記液晶層１０８内の液晶のΔｎ値は０．０９乃至０．１１である。望ましくは、前記液晶のΔｎ値が０．１である。ここで、Δｎは液晶の複屈折率である．液晶層に電界が加わると、液晶分子は電界方向に傾き、入射光に対する複屈折率Δｎが変化する。
【００５０】
前記有機膜１１４は前記薄膜トランジスタ１１９、前記ソースライン１１８ａ’、前記ゲートライン１１８ｂ’などが配置されて互いに異なる高さを有する前記下部基板１２０の表面を平坦化する役割もする。このとき、前記透過窓１２９内に薄い厚さの有機膜１１４が残留することもできる。
【００５１】
望ましくは、前記有機膜１１４の上部表面は凹部及び凸部を有する。前記凹部及び凸部は前記反射電極１１３の反射効率を増加させる。このとき、前記有機膜１１４の上部表面は凹部及び凸部がない平坦な面であることもできる。
【００５２】
前記透明電極１１２は前記パッシベーション膜１１６上の前記透過領域１５０、前記有機膜１１４上の前記反射領域１６０の一部及び前記ドレイン電極１１８ｃの一部を露出する開口部の内面上に形成されて前記ドレイン電極１１８ｃと電気的に連結される。前記透明電極１１２は前記共通電極１０６との間に印加された電圧により前記液晶層１０８内の液晶を制御して光の透過を調節する。前記透明電極１１２は透明で導電性を有するインジウムすず酸化物質ＩＴＯ、インジウム亜鉛酸化物質ＩＺＯ、亜鉛酸化物質ＺＯなどを含む。このとき、前記透明電極１１２の一部が前記反射領域１６０内の前記有機膜１１４上に配置されることもできる。
【００５３】
前記反射電極１１３は前記反射領域１６０内の前記有機膜１１４上に配置されて外部光を反射させる。望ましくは、前記反射電極１１３は前記有機膜１１４の上部表面上に形成された凹部及び凸部の形状に沿って配置されて外部光を一定の方向に反射させる。前記反射電極１１３は導電性物質を含んで前記透明電極１１２を通じて前記ドレイン電極１１８ｃと電気的に連結される。
【００５４】
前記駆動回路（図示せず）は前記薄膜トランジスタ１１９を通じて前記透明電極１１２及び前記反射電極１１３にデータ電圧を提供して前記共通電極１０６と前記透明電極１１２との間及び前記共通電極１０６と前記反射電極１１３との間に電界を形成する。望ましくは、前記電極１０６、１１２、１１３の間のしきい電圧は２Ｖ以下であり、前記電極１０６、１１２、１１４の間の飽和電圧は４．４Ｖである。さらに望ましくは、前記しきい電圧は１．７Ｖであり、前記飽和電圧は４Ｖである。前記しきい電圧は液晶が駆動されるための最小限の電圧を示す。前記飽和電圧以上の電圧が加えられると前記液晶駆動の効果は次のようである。
【００５５】
前記液晶を配向するために、前記第１基板１７０及び前記第２基板１８０の表面に配向膜（図示せず）を配置し、前記配向膜（図示せず）の表面を一定の方向にラビングする。前記ラビングによって前記液晶が一定の方向に配向される。前記上部基板上に配置された配向膜（図示せず）のラビング方向は前記下部基板上に配置された配向膜（図示せず）のラビング方向と互いに反対の方向である。
【００５６】
前記液晶層１０８は前記第１基板１７０と前記第２基板１８０との間に配置されてシール（図示せず）により密封される。前記液晶層１０８内の液晶は前記配向膜（図示せず）により前記第１基板１７０または前記第２基板１８０の面に垂直する方向に配向される。望ましくは、前記液晶は所定の角度でプリーティルト（Ｐｒｅ‐ｔｉｌｔｅｄ）されてある。
【００５７】
前記上部光学フィルムアセンブリ２３０は上部λ／４位相差フィルム２１０、上部λ／２位相差フィルム２１２及び上部偏光板２１４を含み、前記下部光学フィルムアセンブリ２４０は下部λ／４位相差フィルム２２０、下部λ／２位相差フィルム２２２及び下部偏光板２２４を含む。
【００５８】
前記上部光学フィルムアセンブリ２３０と前記下部光学フィルムアセンブリ２４０は互いに向き合う位置に配置され、前記上部偏光板２１４と前記下部偏光板２２４の吸収軸は互いに９０°の角度を有する。前記上部偏光板２１４と前記下部偏光板２２４の吸収軸が互いに９０°の角度を有し前記液晶が垂直配向される場合、ノーマリブラックモード（Ｎｏｒｍａｌｌｙ  Ｂｌａｃｋ  Ｍｏｄｅ）を具現して画質が向上される。即ち、前記電極１０６、１１２、１１３に電圧が印加されない場合、前記ノーマリブラックモードでは光が遮断されて光漏れ現象が減少して画質が向上される。
【００５９】
図３は本発明の第１実施例による液晶表示装置の上部光学フィルムアセンブリを示す分解斜視図である。
【００６０】
図３に示すように、前記上部λ／４位相差フィルム２１０は前記上部基板１００の上部表面上に配置され、前記上部λ／４位相差フィルム２１０のスロー軸（slow axis）は前記上部偏光板２１４の吸収軸から反時計方向に１５°の角度を有する。前記上部λ／２位相差フィルム２１２は前記上部λ／４位相差フィルム２１０上に配置され、前記上部λ／２位相差フィルム２１２のスロー軸は前記上部偏光板２１４の吸収軸から反時計方向に７５°の角度を有する。前記位相差フィルムはファスト軸（Ｆａｓｔ  Ａｘｉｓ）及びスロー軸を含む。前記ファスト軸は前記位相差フィルムを進行する光の速度が速くなる方向であり、前記スロー軸は前記ファスト軸と９０°の角度を有して進行する光の速度が遅くなる方向である。前記偏光板は前記吸収軸と同一の方向に振動する光を遮断する。偏光成分を有する光の速度が前記２つの方向で差異が発生すると、一つの偏光成分の位相が他の一つの偏光成分の位相より遅延されて前記光の偏光状態が変化される。
【００６１】
前記上部λ／４位相差フィルム２１０のΔｎｄ(リタデーション)は１３０ｎｍ乃至１５０ｎｍであり、前記上部λ／２位相差フィルム２１２のΔｎｄは２６５ｎｍ乃至２８５ｎｍである。望ましくは、前記上部λ／４位相差フィルム２１０のΔｎｄは１４０ｎｍであり、前記上部λ／２位相差フィルム２１２のΔｎｄは２７５ｎｍである。さらに望ましくは、前記Δｎｄは５５０ｎｍの波長を有する光を基準にして決定される。前記Δｎｄは５５０ｎｍの波長を有する光を基準とする。
【００６２】
図４は本発明の第１実施例による液晶表示装置の下部光学フィルムアセンブリを示す分解斜視図である。
【００６３】
図４に示すように前記下部λ／４位相差フィルム２２０は前記上部基板１２０の下部表面上に配置され、前記下部λ／４位相差フィルム２２０と前記上部λ／４位相差フィルム２１０のスロー軸は互いに８０°乃至１００°の角度を有する。前記下部λ／２位相差フィルム２２２は前記下部λ／４位相差フィルム２２０上に配置され、前記下部λ／４位相差フィルム２２２と前記上部λ／２位相差フィルム２１２のスロー軸は互いに８０°乃至１００°の角度を有する。
【００６４】
望ましくは、前記下部λ／４位相差フィルム２２０と前記上部λ／４位相差フィルム２１０のスロー軸は互いに９０°の角度を有し、前記下部λ／２位相差フィルム２２２と前記上部λ／２位相差フィルム２１２のスロー軸は互いに９０°の角度を有する。
【００６５】
前記下部λ／４のΔｎｄは１３０ｎｍ乃至１５０ｎｍであり。前記下部λ／２のΔｎｄは２６５ｎｍ乃至２８５ｎｍである。望ましくは、前記下部λ／４のΔｎｄは１４０ｎｍであり、前記下部λ／２のΔｎｄは２７５ｎｍである。さらに望ましくは。前記Δｎｄは５５０ｎｍの波長を有する光を基準にして決定される。
【００６６】
図５乃至図１１は本発明の第１実施例による液晶表示装置の製造方法を示す断面図である。
【００６７】
図５に示すように、まず、前記下部基板１２０に前記バックライトアセンブリ（図示せず）から発生された前記光を透過させる透過領域１５０及び前記外部光を反射させる前記反射領域１６０を定義する。
【００６８】
図６に示すように、続いて前記下部基板１２０上に導電性物質を蒸着する。続いて、前記導電性物質の一部を除去して前記ゲート電極１１８ｂ及び前記ゲートライン１１８ｂ’を形成する。以後、前記ゲート電極１１８ｂ及び前記ゲートライン１１８ｂ’が形成された下部基板１２０の全面に前記ゲート絶縁膜１２６を蒸着する。前記ゲート絶縁膜１２６は透明な絶縁物質を含む。望ましくは、前記ゲート絶縁膜１２６はシリコン窒化膜ＳｉＮｘを含む。
【００６９】
続いて、アモルファスシリコン及びＮ＋アモルファスシリコンを蒸着しエッチングして前記ゲート電極１１８ｂに対応する前記ゲート絶縁膜１２６上に前記半導体層を形成する。続いて、前記半導体層が形成された前記ゲート絶縁膜１２６上に導電性物質を蒸着する。以後、前記導電性物質の一部をエッチングして前記ソース電極１１８ａ、前記ソースライン１１８ａ’及び前記ドレイン電極１１８ｃを形成する。従って、前記ソース電極１１８ａ、前記ゲート電極１１８ｂ、前記ドレイン電極１１８ｃ及び前記半導体層を含む前記薄膜トランジスタ１１９が形成される。
【００７０】
続いて、前記薄膜トランジスタ１１９が形成された前記下部基板１２０上に透明な絶縁物質を蒸着してパッシベーション膜を形成する。望ましくは、前記透明な絶縁物質はシリコン窒化物質を含む。
【００７１】
図７に示すように、続いて前記パッシベーション膜１１６上に有機物質を塗布して有機膜を形成する。望ましくは、前記有機物質をフォトレジスト成分を含む。
【００７２】
以後、前記有機膜を露光及び現象して前記ドレイン電極１１８ｃの一部及び前記透過領域１５０を露出し上部表面に前記凹部と前記凸部を有する有機膜１１４を形成する。前記露光及び現象工程は一つのマスクを用いた一度の工程または複数のマスクを有する複数回の工程を含む。
【００７３】
前記有機膜１１４の厚さは前記透過領域１５０及び前記反射領域１６０のセルギャップを調節する。前記透過領域１５０のセルギャップＧ２は３．６μｍ乃至４μｍであり、前記反射領域１６０のセルギャップＧ１は１．８μｍ乃至２．２μｍである。望ましくは、前記透過領域１５０のセルギャップＧ２と前記反射領域１６０のセルギャップＧ１との比は１．９：１である。さらに望ましくは、前記液晶層内の液晶のΔｎ値は０．１００９であり、前記透過領域１５０に対応するセルギャップＧ２は３．８であり、前記反射領域１６０に対応するセルギャップＧ１は２μｍである。
【００７４】
続いて、前記有機膜１１４及び前記パッシベーション膜１１６上に透明で導電性を有する物質を蒸着する。続いて、前記透明で導電性物質の一部をエッチングして透明電極１１２を形成する。
【００７５】
以後、前記有機膜１１４及び前記透明電極１１２上に反射率が高い導電体を蒸着する。望ましくは、前記反射率が高い導電体はアルミニウム及びネオジムＮｄを含む。続いて、前記反射率が高い導電体の一部をエッチングして前記反射領域１６０内に前記反射電極１１３を形成する。
【００７６】
このとき、前記反射電極１１３は多層構造を有することができる。前記反射電極が多層構造を有する場合、望ましくは、前記反射電極１１３はモリブデンＭｏ−ダングステンＷ合金層及び前記モリブデンＭｏ−ダングステンＷ合金層に形成されたアルミニウムＡｌ−ネオジムＮｄ合金層を含む。
【００７７】
続いて、前記反射電極１１３が形成された下部基板１８０上に配向膜（図示せず）を形成する。前記配向膜（図示せず）は所定の方向にラビングされている。
【００７８】
従って、前記下部基板１２０、前記スイッチング素子１１９、前記ソースライン１１８ａ’、前記ゲートライン１１８ｂ’、前記有機膜１１４、前記透明電極１１２、前記反射電極１１３及び前記配向膜（図示せず）を含む前記第２基板１８０が形成される。
【００７９】
図８に示すように、続いて前記上部基板１００上に不透明の物質を蒸着する。続いて、前記不透明な物質の一部を除去して前記ブラックマトリックス１０２を形成する。
【００８０】
以後、前記ブラックマトリックス１０２が形成された前記上部基板１００上にカラーフィルター１０４を形成する。前記カラーフィルター１０４は特定の光のみを選択的に透過させる。このとき、前記カラーフィルター１０４が前記上部基板１００ではなく前記下部基板１２０上に形成されることもできる。前記カラーフィルター１０４が前記下部基板１２０上に形成される場合前記カラーフィルターは前記有機膜２１４を形成する前に形成することが望ましい。
【００８１】
続いて、前記カラーフィルター１０４及び前記ブラックマトリックス１０２が形成された上部基板１００上に透明で導電性物質を蒸着して共通電極１０６を形成する。
【００８２】
続いて、前記共通電極１０６上に有機物を塗布する。望ましくは、前記有機物はフォトレジスト成分を含む。以後、前記有機物を露光及び現象して前記ブラックマトリックス１０２に対応する前記共通電極１０６の一部上にスペーサ１１０を形成する。このとき、前記共通電極１０６上にスペーサ１１０を形成しないで前記ボールスペーサを配置することもできる。
【００８３】
以後、前記スペーサ１１０が形成された前記上部基板１７０上に前記下部基板１２０上の前記配向膜（図示せず）の配向方向と反対方向にラビングされた配向膜（図示せず）を形成する。
【００８４】
従って、前記上部基板１００、前記ブラックマトリックス１０２、前記カラーフィルター１０４、前記共通電極１０６、前記スペーサ１１０及び前記配向膜（図示せず）を含む第１基板１７０が形成される。
【００８５】
図９に示すように、続いて前記第１基板１７０と前記第２基板１８０を対向して結合する。続いて、前記第１基板１７０及び前記第２基板１８０との間に液晶層１０８を注入して後シール（図示せず）により密封される。このとき、前記シール（図示せず）が形成された前記第１基板１７０または前記第２基板１８０上に液晶を滴下した後前記第１基板１７０及び第２基板１８０を対向して結合し前記液晶層１０８を形成することもできる。
【００８６】
図１０に示すように、以後前記上部基板１００の上部表面上に前記上部λ／４位相差フィルム２１０を形成する。
【００８７】
続いて、前記上部λ／４位相差フィルム２１０上に前記上部λ/２位相差フィルム２１２を形成する。このとき、前記上部λ/２位相差フィルム２１２のスロー軸は前記上部λ/４位相差フィルム２１０のスロー軸から反時計方向に６０°の角度を有する。
【００８８】
以後、前記上部λ/２位相差フィルム２１２上に上部偏光板２１４を形成する。このとき、上部偏光板２１４の吸収軸は前記上部λ/４位相差フィルム２１０のスロー軸から時計方向に１５°の角度を有する。
【００８９】
従って、前記上部λ/４位相差フィルム２１０、前記上部λ/２位相差フィルム２１２及び前記上部偏光板２１４を含む前記上部光学フィルムアセンブリが前記第１基板２３０の上部表面上に形成される。
【００９０】
図１１に示すように、以後前記下部基板１２０の上部表面上に前記下部λ/４位相差フィルム２２０を形成する。このとき、前記下部λ/４位相差フィルム２２０のスロー軸は前記上部λ/４位相差フィルム２１０と９０°の角度を有する。
【００９１】
続いて、前記下部λ/４位相差フィルム２２０上に前記下部λ/２位相差フィルム２２２を形成する。このとき、前記下部λ/２位相差フィルム２２２のスロー軸は前記下部λ/４のスロー軸と９０°の角度を有する。
【００９２】
以後、前記下部λ/２位相差フィルム２２２上に前記下部偏光板２２４を形成する。このとき、前記下部偏光板２２４の吸収軸は前記上部偏光板２１４と９０°の角度を有する。
【００９３】
従って、前記下部λ/４位相差フィルム２２０、前記下部λ/２位相差フィルム２２２及び前記下部偏光板２２４を含む前記下部光学フィルムアセンブリが前記第２基板１８０の下部表面上に形成される。
【００９４】
従って、前記所定のセルギャップの比を有する複数のセルギャップを有し垂直方向に配向された前記液晶層１０８、前記上部光学フィルムアセンブリ２３０及び前記上部光学フィルムアセンブリ２３０と向き合う前記下部光学フィルムアセンブリ２４０を用いて輝度及びコントラスト比が向上される。
【実施例２】
【００９５】
図１２は本発明の第２実施例による液晶表示装置を示す分解斜視図であり、図１３は本発明の第２実施例による液晶表示装置を示す断面図であり、図１３は本発明の第２実施例による液晶表示装置を示す断面図である。本実施例で視野角を増加させる補償フィルムを除いては残りの構成要素は実施例１と同一であるので重複された部分に対しては詳細な説明を省略する。
【００９６】
液晶表示装置は液晶の異方性に起因して光が透過する方向によって画質に差異が発生して一定の視野角の範囲内のみで良質の映像を得ることができる。一般に、視野角はコントラスト比が１０：１以上である映像を得ることができる角度を示す。コントラスト比は画面で明るいところと暗いところとの明るさの差異を示す。前記コントラスト比は液晶表示装置がより暗い状態を具現することができるか、より均一な輝度を有する場合増加する。前記本発明の前記光学フィルムアセンブリ２３０、２４０はノーマリブラックモードで動作するので暗い状態を示すことが可能である。
【００９７】
前記液晶表示装置は輝度を均一にするために、前記視野角を増加させる補償フィルムを含む。前記補償フィルムはＡ−プレートまたはＣ−プレート２１６を含む。前記Ａ−プレート及び前記Ｃ−プレート２１６は一軸性フィルムである。
【００９８】
前記Ａ−プレートのｘ方向の屈折率ｎｘとｙ方向の屈折率ｎｙは同一であり、ｚ方向の屈折率ｎｚは前記ｘ方向の屈折率ｎｘまたは前記ｙ方向の屈折率ｎｙより大きい。前記Ｃ−プレート２１６のｘ方向の屈折率ｎｘとｙ方向の屈折率ｎｙは同一であり、ｚ方向の屈折率ｎｚは前記ｘ方向の屈折率ｎｘまたは前記ｙ方向の屈折率ｎｙより小さい。
【００９９】
望ましくは、前記補償フィルムは前記Ｃ−プレート２１６である。前記Ｃ―プレート２１６は前記上部基板１００と前記λ/４位相差フィルム２１０との間に配置される。前記Ｃ−プレート２１６により前記液晶表示装置の輝度が均一になって、視野角特性が向上される。従って、正面ではない方向でも良質の映像を得ることができる。
【０１００】
前記Ｃ−プレート２１６を含む液晶表示装置を製造するためには、まず、前記液晶表示パネル２００を形成する。
【０１０１】
続いて、前記液晶表示パネル２００の上部表面上の所定厚さにコレステリック液晶をコーティングし配向させた後非偏光紫外線を照射して前記コレステリック液晶の配向状態を固定させて一軸性フィルムを形成する。望ましくは、前記一軸性フィルムは前記Ｃ−フィルム２１６である。
【０１０２】
続いて、前記Ｃ−プレート２１６上に前記上部光学フィルムアセンブリ２３０を形成する。最後に、前記液晶表示パネル２００の下部表面上に前記下部光学フィルムアセンブリ２４０を形成する。
【０１０３】
従って、前記液晶表示装置が前記Ｃ−プレート２１６を含んで輝度が均一になり視野角が増加される。
実験例１
本実験例での数値解釈はドイツのオトロニック−メルチャス社（Ａｕｔｒｏｎｉｃ−ＭＥＬＣＨＥＲＳＧｍｂＨ）のダイモスシミュレーション（Ｄｉｍｏｓ  Ｓｉｍｕｌａｔｉｏｎ）プログラムを利用し、本実験例の液晶表示装置は本発明の第１実施例による液晶表示装置である。本実施例において、実施例１と同一の構成要素の重複された部分に対しては詳細な説明を省略する。
【０１０４】
図１４は反射領域に対応するセルギャップの変化による反射率を示すグラフであり、図１５は反射領域に対応するセルギャップの変化によるコントラスト比を示すグラフである。図１４の横軸は前記電極１０６、１１２、１１３の間に加えられた電圧を示し、縦軸は液晶表示装置の反射率を示す。図１５の横軸は前記反射セルギャップを示し、縦軸は液晶表示装置のコントラスト比を示す。
【０１０５】
前記多様な反射セルギャップを有する液晶表示装置は本発明の第１実施例による前記上部光学フィルムアセンブリ２３０と、前記下部光学フィルムアセンブリ２４０と、前記垂直配向された液晶層１０８を有する液晶表示パネル２００を含む。
【０１０６】
図１４に示すように、反射セルギャップ１．８μｍ以上の場合高い反射率を示した。前記電圧が３．８Ｖ以下の場合、反射セルギャップが増加するほど反射率が増加した。前記電圧が３．８２Ｖ以上の場合、前記電圧及び前記反射セルギャップによって反射率が互いに異なる値を有する。前記電圧が４Ｖであり、前記反射セルギャップが２μｍである場合、反射率が最も大きかった。
【０１０７】
図１５に示すように、前記液晶表示装置のコントラスト比は前記反射セルギャップの変化に対して複数のピーク（Ｐｅａｋ）を示す。前記反射セルギャップが１．６５μｍの場合、コントラスト比が６０３で最も大きい。前記反射セルギャップが２μｍの場合、コントラスト比が５２７である。
【０１０８】
図１６は透過領域に対応するセルギャップの変化による透過率を示すグラフであり、図１７は透過領域に対応するセルギャップの変化によるコントラスト比を示すグラフである。図１６の横軸は前記電極１０６、１１２、１１３の間に加えられた電圧を示し、縦軸は液晶表示装置の透過率を示す。図１７の横軸は前記透過セルギャップを示し、縦軸は液晶表示装置のコントラスト比を示す。
【０１０９】
前記多様な透過セルギャップを有する液晶表示装置は本発明の第１実施例による前記液晶表示パネル、前記上部光学フィルムアセンブリ２３０と、前記下部光学フィルムアセンブリ２４０を含み、垂直配向された液晶層１０８の反射セルギャップは２μｍであった。
【０１１０】
図１６に示すように、透過セルギャップが３．６μｍ以上の場合高い透過率を示す。前記電圧が３．７Ｖ以下の場合、反射セルギャップが増加するほど透過率が増加する。前記電圧が３．７Ｖ以上の場合、前記電圧及び前記反射セルギャップによって透過率が互いに異なる値を有する。前記電圧が４Ｖであり、前記反射セルギャップが３．８μｍの場合、透過率が最も大きい。
【０１１１】
図１７に示すように、前記液晶表示装置のコントラスト比は前記透過セルギャップが３．８μｍのとき１０７２０で最も大きい。
【０１１２】
以下、水平方向でホモジニアス配向された液晶を含む液晶表示装置と本発明の第１実施例による液晶表示装置とを比較した。
【０１１３】
前記本発明の第１実施例による液晶表示装置は垂直配向モードの液晶を含み、前記透過領域に対応するセルギャップ及び前記反射領域に対応するセルギャップがそれぞれ３，８μｍ及び２μｍである。しかし、前記垂直配向でホモジニアス配向された液晶を含む液晶表示装置は前記透過領域に対応するセルギャップ及び前記反射領域に対応するセルギャップがそれぞれ３．３μｍ及び１．６μｍである。
【０１１４】
表１は本発明の第１実施例による液晶表示装置及び水平方向にホモジニアス配向された液晶を含む液晶表示装置の反射モードでの光特性を示す。前記水平方向にホモジニアス配向された液晶を含む液晶表示装置は反射領域に対応するセルギャップ１．６μｍである。
【０１１５】
【表１】
0004733967.tif 000002
表１に示すように、‘白色（％）’は前記液晶表示装置が白色を表示する場合の反射率を示し、‘黒色（％）’は前記液晶表示装置が黒色を表示する場合の反射率を示す。前記コントラスト比は前記‘白色（％）’を前記‘黒色（％）’で割り算した値である。前記‘白色（％）’が増加し前記‘黒色（％）’が減少するほど前記コントラスト比が増加する。前記本発明の第１実施例による液晶表示装置のコントラスト比は４８．３であり、前記従来の液晶表示装置のコントラスト比は３３．７である。従って、前記本発明の第１実施例による液晶表示装置のコントラスト比が前記従来の液晶表示装置のコントラスト比に比べて４３．３％増加した。
【０１１６】
図１８は反射モード及び透過モードで表示される白色の色座標を示すグラフである。
【０１１７】
図１８に示すように、前記‘白色の色座標’は前記液晶表示装置により表示された白色の位置を示す、白色の光を色温度に従って分類する場合、太陽光Ｄ６５は６５００Ｋに該当する。前記６５００Ｋの色温度に当る色座標値はｘが０．３１でｙは０．３９２である。前記本発明の第１実施例による液晶表示装置において白色の色座標Ｒ１のｘ及びｙが０．３１６１と０．３５０２であり、前記従来の液晶表示装置での白色の色座標Ｒ２のｘ及びｙが０．３２８６と０．３６２５である。従って、前記本発明の液晶表示装置が表示する白色が前記太陽光とさらに類似する。
【０１１８】
表２は本発明の第１実施例による液晶表示装置及び水平方向にホモジニアス配向された液晶を含む液晶表示装置の透過モードでの光特定を示す。前記水平方向にホモジニアス配向された液晶を含む液晶表示装置は透過領域に対応するセルギャップが３．３μｍである。
【０１１９】
【表２】
0004733967.tif 000003
表２に示すように‘白色（Ｃｄ/ｍ2）’は前記液晶表示装置が白色を表示する場合の透過光の強度を示し、‘黒色（Ｃｄ/ｍ2）’は前記液晶表示装置が黒色を表示する場合の透過光の強度率を示す。前記コントラスト比は前記‘白色（Ｃｄ/ｍ2）’を前記‘黒色（Ｃｄ/ｍ2）’で割り算した値である。前記本発明の第１実施例による液晶表示装置のコントラスト比は４８２であり、前記従来の液晶表示装置のコントラスト比は１９８である。従って、前記本発明の第１実施例による液晶表示装置のコントラスト比が前記従来の液晶表示装置のコントラスト比に比べて１４３％増加した。
【０１２０】
図１８に示すように、前記本発明の第１実施例による液晶表示装置で白色の色座標Ｔ１のｘ及びｙが０．３１１３と０．３３３１であり、前記従来の液晶表示装置で白色の色座標Ｔ２のｘ及びｙが０．３１１２と０．３２８９である。前記白色の色座標の場合前記本発明の第１実施例による液晶表示装置と前記従来の液晶表示装置との間で大きい差異がない。
【０１２１】
図１９は数値解釈によって得られた視野角による透過コントラスト比を示すグラフであり、図２０は本発明の第１実施例による液晶表示装置の視野角によるコントラスト比を示すグラフである。図１９及び図２０の同心円の中心からの距離である半径軸（Ｒａｄｉａｌ  Ａｘｉｓ）は前記液晶表示装置の視野角を示し、前記同心円の中心からの方向である角度軸は前記液晶表示パネルを基準にした前記視野角の方向を示す。それぞれの同心円は１０間隔を有するコントラスト比を示す。図１９及び図２０に示すように、コントラスト比が１０：１である閉曲線は約８０°の視野角である。
【０１２２】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【０１２３】
【図１】本発明の第１実施例による液晶表示装置を示す分斜視図でる。
【図２】本発明の第１実施例による液晶表示装置を示す断面図である。
【図３】本発明の第１実施例による液晶表示装置の上部光学フィルムアセンブリを示す分解斜視図である。
【図４】本発明の第１実施例による液晶表示装置の下部光学フィルムアセンブリを示す分解斜視図である。
【図５】本発明の第１実施例による液晶表示装置の製造方法を示す断面図である。
【図６】本発明の第１実施例による液晶表示装置の製造方法を示す断面図である。
【図７】本発明の第１実施例による液晶表示装置の製造方法を示す断面図である。
【図８】本発明の第１実施例による液晶表示装置の製造方法を示す断面図である。
【図９】本発明の第１実施例による液晶表示装置の製造方法を示す断面図である。
【図１０】本発明の第１実施例による液晶表示装置の製造方法を示す断面図である。
【図１１】本発明の第１実施例による液晶表示装置の製造方法を示す断面図である。
【図１２】本発明の第２実施例による液晶表示装置を示す分解斜視図である。
【図１３】本発明の第２実施例による液晶表示装置を示す断面図である。
【図１４】反射領域に対応するセルギャップの変化による反射率を示すグラフである。
【図１５】反射領域に対応するセルギャップの変化によるコントラスト比を示すグラフである。
【図１６】透過領域に対応するセルギャップに変化による透過率を示すグラフである。
【図１７】透過領域に対応するセルギャップの変化によるコントラスト比を示すグラフである。
【図１８】反射モード及び透過モードで表示される白色の色座標を示すグラフである。
【図１９】数値解釈により得られた視野角による透過コントラスト比を示すグラフである。
【図２０】本発明の第１実施例による液晶表示装置の視野角による透過コントラスト比を示すグラフである。
【符号の説明】
【０１２４】
１００      上部基板
１０２      ブラックマトリックス
１０４      カラーフィルター
１０６      共通電極
１０８      液晶層
１１０      スペーサ
１１２      透過電極
１１３      反射電極
１１４      有機膜
１１６      パッシベーション膜
１１８ａ      ソース電極
１１８ａ’      ソースライン
１１８ｂ      ゲート電極
１１８ｂ’      ゲートライン
１１８ｃ      ドレーン電極
１１９      薄膜トランジスタ
１３０      下部基板
１５０      透過領域
１６０      反射領域
１７０      第１基板
１８０      第２基板
２１０      上部λ／４位相差フィルム
２１２      上部λ／２位相差フィルム
２１４      上部偏光板
２１６      Ｃプレート
２２０      下部λ／４位相差フィルム
２２２      下部λ／２位相差フィルム
２２４      下部偏光板
２３０      上部光学フィルムアセンブリ
２４０      下部光学フィルムアセンブリ
【図１】
0004733967.tif 000004
【図２】
0004733967.tif 000005
【図３】
0004733967.tif 000006
【図４】
0004733967.tif 000007
【図５】
0004733967.tif 000008
【図６】
0004733967.tif 000009
【図７】
0004733967.tif 000010
【図８】
0004733967.tif 000011
【図９】
0004733967.tif 000012
【図１０】
0004733967.tif 000013
【図１１】
0004733967.tif 000014
【図１２】
0004733967.tif 000015
【図１３】
0004733967.tif 000016
【図１４】
0004733967.tif 000017
【図１５】
0004733967.tif 000018
【図１６】
0004733967.tif 000019
【図１７】
0004733967.tif 000020
【図１８】
0004733967.tif 000021
【図１９】
0004733967.tif 000022
【図２０】
0004733967.tif 000023